(57)【特許請求の範囲】
【請求項１】
内外周に相互逆巻きの螺旋リボンを取付け、機台に回転可能に支持されている円筒網体と、該円筒網体の前端軸芯部に接続し内部が円筒網体内に連通する回転筒体と、該回転筒体を所定方向に回転せしめる駆動装置と、該円筒網体の少なくとも下部を収容する第１受槽と、該第１受槽の前側に配置される第２受槽と、該円筒網体の前端に取付けられている水車と、該円筒網体の後端に内挿されている受け板と、該水車の側部に配置され第２受槽に連通する連絡槽と、該連絡槽内に前方に向けて水を圧送する給水管と、該第２受槽内において該回転筒体の前端に取付けられる水車とからなることを特徴とする固液分離装置
【発明の詳細な説明】
【０００１】
【発明の属する技術分野】
本発明は例えば土木工事現場から発生する廃水から骨材等の固形分を分級して回収するために使用される固液分離装置に関するものである。
【０００２】
【従来の技術】
土木工事現場から発生した廃水は砂利、砂等の骨材、泥分等を含むが、該廃水から砂利、砂等を分級して回収するためには、従来、回転円筒網体であるトロンメルに該廃水を充填して砂利を分離し、砂、泥分を含む濾水を振動篩で濾別して砂を分離し、泥分を含む濾水を沈澱槽に導入して泥分を沈降分離し、上澄を放流する方法が適用されている。
【０００３】
【発明が解決しようとする課題】
上記方法では砂利、砂分離にトロンメル、振動篩と言う二つの装置を必要とし、そのための場所を確保する必要があり、また夫々の装置に駆動装置を必要とし製造コスト、エネルギーコストが高くなる。更に分離された砂利や砂を充分に洗浄することが出来ないから、回収された砂利や砂には可成りの量の泥分が含まれており、その結果回収された砂利や砂の商品価値は低いものであった。
【０００４】
【課題を解決するための手段】
本発明は上記従来の問題点を解決するための手段として、内外周に相互逆巻きの螺旋リボン(3,4) を取付け、機台(7) に回転可能に支持されている円筒網体(2) と、該円筒網体(2) の前端軸芯部に接続し内部が円筒網体(2) 内に連通する回転筒体(5) と、該回転筒体(5) を所定方向に回転せしめる駆動装置(13)と、該円筒網体(2) の少なくとも下部を収容する第１受槽(26)と、該第１受槽(26)の前側に配置される第２受槽(27)と、該円筒網体(2) の前端に取付けられている水車(14)と、該円筒網体(2) の後端に内挿されている受け板(8) と、該水車(14)の側部に配置され第２受槽(27)に連通する連絡槽(28)と、該連絡槽(28)内に前方に向けて水を圧送する給水管(29)と、該第２受槽(27)内において該回転筒体(5) の前端に取付けられる水車(15)とからなる固液分離装置(1) を提供するものである。
【０００５】
【発明の実施の形態】
本発明を図１〜図６に示す一具体例によって説明する。図に示す固液分離装置(1) において、円筒網体(2) の内外周には図４矢印ヘ、矢印トに示すように相互逆巻きの螺旋リボン(3,4) が取付けられており、前端には該円筒網体(2) の軸芯部において外周に螺旋リボン(5A)が取付けられている回転筒体(5) が接続し、該回転筒体(5) の内部は該円筒網体(2) の内部に連通しており、該円筒網体(2) の後端の回転軸(6) は機台(7) の軸受(7A)に回転可能に軸支されており、更に該円筒網体(2) の後方からは該円筒網体(2) の内部に受け板(8) が挿入されている。
【０００６】
該回転筒体(5) の前端部は機台(9) の軸受コロ(10)に支持されており、該回転筒体(5) にはプーリー(11)が取付けられ、該プーリー(11)にはベルト(12)を介して駆動装置であるモーター(13)が連絡している。
【０００７】
該円筒網体(2) の前端および後端にはには更に第１水車(14A) および第２水車(14B) が共軸的に取付けられており、また回転筒体(5) の前端には第３水車(15)が共軸的に取付けられている。なお本発明では第２水車(14B) は必須のものではない。
該水車(14A,14B,15)は夫々スポーク(18A,18B,19)を介して回転筒体(5) に支持されているホイール(16A,16B,17)と、該ホイール(16A,16B,17)の外周に取付けられている複数個の羽根(20A,20B,21)と、該ホイール(16A,16B,17)の前後に取付けられているフランジ(22A,22B,23)とからなり、該水車(14A,14B,15)の側部には受け筒体(24A,24B,25)が配置されている。
【０００８】
該円筒網体(2) の下半部は第１受槽(26)内に収容されており、該回転筒体(5) 側には第２受槽(27)が配置されており、図３に示すように第１受槽(26)と第２受槽(27)との間には連絡槽(28)が介在しており、該連絡槽(28)には上方から第１水車(14A) の受け筒体(24A) の下端が開口しており、更に後方から給水管(29)が接続しており、該連絡槽(28)は第１受槽(26)には直接連通していないが、第２受槽(27)には直接連通している。
【０００９】
上記構成の固液分離装置(1) において、モーター(13)を駆動して回転筒体(5) を介して円筒網体(2) 、水車(14,15) を一体的に回転させ、例えば粗骨材である砂利を５重量％、細骨材である砂を２５重量％、泥分を３０重量％含有する土木工事現場からの廃水を該回転筒体(5) に図２矢印イ方向から導入する。該廃水は該廃水中に含まれる土塊を該回転筒体(5) の回転によってほぐされつゝ円筒網体(2) 内に導入され、該円筒網体(2) 内において、該廃水中に含まれる砂利と、砂および泥分とは分離され、砂利は該円筒網体(2) 内に蓄積し、図２矢印ロに示すように内側の螺旋リボン(4) によって後方に送られて受け板(8) を介して槽外に排出回収され、砂および泥分は水と共に円筒網体(2) から第１受槽(26)内に排出され、該円筒網体(2) の外側の螺旋リボン(3) によって図２矢印ハに示すように前方に送られ、第１水車(14A) によって逐次掬い取られて受け筒体(24A) を介して連絡槽(28)内に移され、また第１受槽(26)内に残存沈澱する砂および泥分は第２水車(14B) によって逐次掬い取られて受け筒体(24B) を介して外部へ排出される。該連絡槽(28)内へは給水管(29)から図３矢印ニに示すように水が圧送され、該第１水車(14A) によって連絡槽(28)に移された砂および泥分は該水流および外回転筒体(5) の螺旋リボン(5A)によって水と共に矢印ホに示すように第２受槽(27)に流入してその前端部に送られ、該砂はそこで沈降し、第３水車(15)によって逐次掬い取られて受け筒体(25)を介して槽外へ排出回収される。
【００１０】
【発明の効果】
本発明では一台のコンパクトな装置によって、液中に含まれている粗大固形分と微細固形分とを分級して回収することが出来、したがって駆動装置も一台準備するだけで済み、装置のコストダウン、消費エネルギーの削減が出来る。
【図面の簡単な説明】
図１〜図７は本発明の一具体例を示すものである。
【図１】側面切欠き側面図
【図２】側断面図
【図３】平面図
【図４】円筒網体横断面図
【図５】第１水車前面切欠き前面図
【図６】第２水車前面切欠き前面図
【図７】第３水車前面図
【符号の説明】
1         固液分離装置
2         円筒網体
3,4,5A    螺旋リボン
5         回転筒体
8         受け板
13        モーター（駆動装置）
14A       第１水車
14B       第２水車
15        第３水車
26        第１受槽
27        第２受槽
28        連絡槽
29        給水管
【図１】
0003734329.tif 000002
【図２】
0003734329.tif 000003
【図３】
0003734329.tif 000004
【図４】
0003734329.tif 000005
【図５】
0003734329.tif 000006
【図６】
0003734329.tif 000007
【図７】
0003734329.tif 000008